(57)【特許請求の範囲】
【請求項１】
住居表示を地番表示に変換する住居・地番表示方法において、
コンピュータが、
住居表示番号を受け付ける入力ステップと、
地番表示の地図と同じ座標系に変換された点座標が住居表示番号に対応づけられた住居表示データベースを参照し、上記入力された住居表示番号に対応する点座標を抽出する点座標抽出ステップと、
地番表示地図上の点座標が地番に対応づけられた地番表示データベースを参照して、上記抽出した点座標の範囲内に位置する点座標に対応づけられた地番を抽出する地番抽出ステップと、
上記抽出した地番を、上記入力ステップで受け付けた住居表示番号と併記して出力する出力ステップと
を備えたことを特徴とする住居・地番表示方法。
【請求項２】
請求項１記載の住居・地番表示方法において、
さらに、コンピュータは、
上記点座標抽出ステップで、
上記抽出した全ての点座標に基づき重心となる重心座標を求めた上で、住居表示番号に対応づけられた点座標がどのように結線されるかを管理する住居表示結線情報データベースを参照して、該重心座標を中心とする所定範囲に位置する点座標を有する住居表示番号の点座標を結線化し、
上記地番抽出ステップで、
地番に対応づけられた点座標がどのように結線されるかを管理する地番表示結線情報データベースを参照して、上記抽出した地番の点座標を結線化し、
上記出力ステップで、
上記結線化された住居表示番号の図形情報、および上記結線化された地番の図形情報を、それぞれの座標位置関係を合わせて表示することを特徴とする住居・地番表示方法。
【請求項３】
請求項１，２のいずれかに記載の住居・地番表示方法において、
住居表示番号に対応づけられた上記点座標は、コンピュータが、指定された住居表示の地図上の基準となる２点、および指定された地番表示の地図上の基準となる２点について、それぞれの距離の比から、住居表示地図の座標系の単位を地番表示地図の座標系の単位に合わせるための割合を算出し、また、２つの座標系における原点位置の相違を吸収する差分を求め、該割合および該差分に基づいて地番表示地図と同じ座標系に変換したものである
ことを特徴とする住居・地番表示方法。
【請求項４】
住居表示の地図および地番表示の地図を合わせて表示する住居・地番表示装置において、
地番表示の地図と同じ座標系に変換された点座標が住居表示番号に対応づけられた住居表示データベースと、
上記住居表示番号に対応づけられた点座標がどのように結線されるかを管理する住居表示結線情報データベースと、
地番表示地図上の点座標が地番に対応づけられた地番表示データベースと、
上記地番に対応づけられた点座標がどのように結線されるかを管理する地番表示結線情報データベースと、
住居表示番号を受け付ける入力手段と、
上記住居表示データベースを参照し、上記入力された住居表示番号に対応する点座標を抽出すると共に、該抽出した全ての点座標に基づき重心となる重心座標を求めた上で、上記住居表示結線情報データベースを参照して、該重心座標を中心とす所定範囲に位置する点座標を有する住居表示番号の点座標を抽出し結線化する住居表示情報抽出手段と、
上記地番表示データベースを参照して、上記住居表示情報抽出手段が抽出した点座標の範囲内に位置する点座標に対応づけられた地番を抽出すると共に、上記地番表示結線情報データベースを参照して、該抽出した地番の点座標を結線化する地番表示情報抽出手段と、
上記地番表示情報抽出手段が抽出した上記地番を、上記入力手段で受け付けた住居表示番号と併記して出力すると共に、上記結線化された住居表示番号の図形情報、および上記結線化された地番の図形情報を、それぞれの座標位置関係を合わせて表示する出力手段と
を備えたことを特徴とする住居・地番表示装置。
【請求項５】
請求項４記載の住居・地番表示装置において、
さらに、
指定された住居表示の地図上の基準となる２点、および指定された地番表示の地図上の基準となる２点について、それぞれの距離の比から、住居表示地図の座標系の単位を地番表示地図の座標系の単位に合わせるための割合を算出し、また、２つの座標系における原点位置の相違を吸収する差分を求め、該割合および該差分に基づいて地番表示地図と同じ座標系に住居表示地図の点座標に変換し、住居表示番号に対応づけて上記住居表示データベースに管理する座標変換手段
を備えたことを特徴とする住居・地番表示装置。
【発明の詳細な説明】
【０００１】
【発明の属する技術分野】
本発明は、住居表示の地図および地番表示の地図を合わせて表示する住居・地番表示方法、および住居・地番表示装置に関するものである。
【０００２】
【従来の技術】
従来、地番情報で管理された登記所の登記事項申請を行う利用者は、地番表示を併記した紙の住居地図を使用して住居表示から地番を探し、探した地番情報を申請用紙に記入して登記事項申請を行っていた。
【０００３】
【発明が解決しようとする課題】
上記した地番表示を併記した住居地図では、建物図形の中に地番が付与されているものについては地番が分かるが、一方、土地部分に付与された地番については境界などが記述されていなく不明であるという問題があった。このため、建物のない土地について登記所の登記事項申請を行う場合、正確な地番を探しだすことが非常に困難であり、誤って異なる登記情報を取得してしまうと共に多くの時間が必要となってしまう問題があった。
【０００４】
本発明は、これらの問題を解決するため、住居表示および地番表示の地図の座標系および単位を変換して重ね合わせて表示などし、住居表示と地番表示を分かりやすくかつ修正・変更に迅速な対応を実現することを目的としている。
【０００５】
【課題を解決するための手段】
図１を参照して課題を解決するための手段を説明する。
図１において、処理装置１は、住居表示の地図および地番表示の地図を合わせて表示するシステムであって、ここでは、変換手段４および出力手段５などから構成されるものである。
【０００６】
変換手段４は、住居表示を地番表示に変換したり、地番表示を住居表示に変換したりなどするものである。
出力手段５は、住居表示と地番表示を合わせて表示したりなどするものである。
【０００７】
地番表示データベース６は、地番で表される地図を格納したものである。
住居表示データベース７は、住居で表される地図を格納したものである。
次に，動作を説明する。
変換手段４が住居表示の地図上で基準となる２点および地番表示の地図上で基準となる２点が指示されると、指示された前者の基準となる２点と、後者の基準となる２点とをもとに両者を一致させる係数および必要に応じてオフセットを算出し、係数およびオフセットをもとに住居表示の地図あるいは地番表示の地図のいずれか一方の地図を他方の地図に変換するようにしている。
【０００８】
この際、住居表示上の住居が入力されたときに、住居表示データベース７を検索して入力された住居に該当する場所情報を抽出して住居表示を地番表示に対応づける係数および必要に応じてオフセットをもとに地番表示上の場所情報に変換する、あるいは既に住居表示を地番情報に対応づける係数および必要に応じてオフセットをもとに変換済みの住居表示データベース７を検索して地番表示上の場所情報を抽出し、変換あるいは抽出した地番表示上の場所情報をもとに地番表示データベース６を検索して該当する地番表示を抽出し、両者を合わせて表示などするようにしている。
【０００９】
また、地番表示上の地番が入力されたときに、地番表示データベース６を検索して入力された地番に該当する場所情報を抽出し、抽出した地番表示上の場所情報をもとに、既に住居表示を地番情報に対応づける係数および必要に応じてオフセットをもとに変換済みの住居表示データベース７を検索して該当する住居表示を抽出し、両者を合わせて表示などするようにしている。
【００１０】
従って、住居表示および地番表示の地図の座標系および単位を変換して重ね合わせて表示などすることにより、住居表示と地番表示を分かりやすくかつ修正・変更に迅速な対応することが可能となる。
【００１１】
【発明の実施の形態】
次に、図１から図７を用いて本発明の実施の形態および動作を順次詳細に説明する。
図１は、本発明のシステム構成図を示す。
【００１２】
図１において、処理装置１は、住居表示の地図（例えば住居地図）および地番表示の地図（例えば法務省地図）を合わせて表示するシステムであって、ここでは、地番表示管理システム２、住居表示管理システム３、変換手段４および出力手段５などから構成されるものである。
【００１３】
地番表示管理システム２は、地番表示データベース６を管理するものであって、登録，修正などを行うものである。
住居表示管理システム３は、住居表示データベース７を管理するものであって、登録，修正などを行うものである。
【００１４】
変換手段４は、住居表示と地番表示の地図間の係数および必要に応じてオフセットを算出したり、住居表示を地番表示に変換したり、地番表示を住居表示に変換したりなどするものである（図２から図６を用いて後述する）。
出力手段５は、住居表示と地番表示を合わせて表示したりなどするものである（図２から図６を用いて後述する）。
【００１５】
地番表示データベース６は、地番で表される地図を格納したものである。
住居表示データベース７は、住居で表される地図を格納したものであって、後述する図２で説明する、変換前の住居表示データベース７および変換後（地番表示データベース６の地図に重ねることができるように、係数およびオフセットをもとに変換した後）の住居表示データベース７の両者を持つものである（表示内容は同一で、係数およびオフセット値を演算した後のものである）。
【００１６】
表示装置１１は、住居表示および地番表示の地図を表示したりなどするものである。
入力装置１２は、データや各種指示を入力するものであって、キーボードやマウスなどである。
【００１７】
図２は、本発明の地図ＤＢ／属性ＤＢの登録説明図を示す。
図２において、Ｓ１は、基準点の入力を行う。これは、右側に記載したように、法務省地図３（図１の地番表示データベース６に相当）上で基準点を２箇所（基準点Ａ（Ｘａ，Ｙａ），基準点Ｂ（Ｘｂ，Ｙｂ））をポインティングディバイスで指定する。同様に、住居地図４（図１の住居表示データベース７に相当）上で基準点を２箇所（基準点Ｂ（ｘａ，ｙａ），基準点Ｂ（ｘｂ，ｙｂ））をポインティングディバイスで指定する。
【００１８】
Ｓ２は、▲１▼から▲７▼の手順により、係数Ｗ、オフセット（ΔＸ，ΔＹ）を算出し、これらを用いて、ここでは、住居地図４上の全ての点の座標を法務省地図３上の座標に変換する。以下説明する。
▲１▼は、法務省地図３の座標系を（Ｘ，Ｙ），住居地図４の座標系を（ｘ，ｙ）とする。
【００１９】
▲２▼は、法務省地図３と住居地図４から、基準点になりそうな地点を２点（点Ａ，点Ｂ）選択する（既述したＳ１の右側の法務省地図および住居地図上の２点Ａ，Ｂ参照）。
▲３▼は、法務省地図３の基準点をＡ（Ｘａ，Ｙｂ），Ｂ（Ｓａ，Ｙｂ）とし、住居省地図３の基準点をＡ（Ｘａ，Ｙｂ），Ｂ（Ｓａ，Ｙｂ）とする。
【００２０】
▲４▼は、住居地図４の座標系の単位を、法務省地図４の座標系の単位（例えばメートル）に合わせるため、法務省地図システム座標におけるＡ点とＢ点間の距離（Ｌ１）と、住居地図システム座標におけるＡ点とＢ点間の距離（Ｌ２）を比較する。
【００２１】
Ｌ１＝（（Ｘｂ−Ｘａ）２＋（Ｙｂ−Ｙａ）２  ）１／２
Ｌ２＝（（ｘｂ−ｘａ）２＋（ｙｂ−ｙａ）２  ）１／２        （式１）
住居地図４の座標系の単位を、法務省地図３の座標系の単位に合わせるための割合をＷとする。
【００２２】
Ｗ＝Ｌ１／Ｌ２（住居地図４の座標値にＷを乗算すると、法務省地図３の座標系（例えばメートル）の単位になる）                          （式２）
▲５▼は、住居地図４の座標値を、法務省地図３の座標系（例えばメートル）の単位に変換する。
【００２３】
（Ｘ，Ｙ）＝（Ｗｘ，Ｗｙ）                              （式３）
▲６▼は、次に、２つの座標系における原点位置の相違を吸収する。差分（オフセット）を（ΔＸ，ΔＹ）とする。
（ΔＸ，ΔＹ）＝（Ｘａ−Ｗ×ｘａ，Ｙａ−Ｗ×Ｙａ）        （式４）
▲７▼は、以上により、住居地図４上の全ての点座標を、法務省地図３と同じ座標系に変換するために、以下の式に代入して算出する。
【００２４】
0003624348.tif 000002
（更に、（式２），（式１）を代入し、図に示す住居地図４上の全ての点座標を、法務省地図３上の点座標に変換する式を求める）        （式５）
以上の▲１▼から▲７▼によって、住居地図４上の全ての点座標を、法務省地図３上の点座標に変換する式を算出できたこととなる。
【００２５】
Ｓ３は、（式５）によって住居地図４上の全ての点座標を、法務省地図３上の点座標に変換した後の住居表示地図ＤＢ７１、住居表示属性ＤＢ７４を示す。
住居住居表示地図ＤＢ７１は、右側に示すように、図形データ（結線情報）７２および図形データ（座標値情報）７３から構成される。
【００２６】
住居表示属性ＤＢ７４は、住居表示の属性情報（住居表示番号に属する点番号）から構成されるものである。
以上のように、法務省地図３および住居地図４上でそれぞれ２点を指定して係数（Ｍ）および必要に応じてオフセット（ΔＸ，ΔＹ）を算出すると共に、これら係数およびおオフセットを用いて他の地図に変換、ここでは、住居地図４上の全ての点座標を法務省地図３上の点座標に変換することが可能となる。
【００２７】
次に、図３および図４を用いて住居表示から地番表示に変換して表示する手順を詳細に説明する。
図３および図４は、本発明の説明図（住居→地番）を示す。
図３において、Ｓ１１は、入力する。これは、例えば右側に記載した住所表示
・東京都品川区八潮５丁目４−１２
を入力する。
【００２８】
Ｓ１２は、住居表示地図ＤＢと住居表示属性ＤＢを検索して、該当する図形データを抽出および表示する。これは、右側に記載した▲１▼から▲４▼の手順によって行う。
▲１▼は、属性データ（住居表示情報）より、入力された住居表示を検索し、図形データを形成する点の番号を抽出する。例えば下段の属性データ（住居表示情報中から矢印で示す、該当する点番号（点Ａ，点Ｂ、点Ｃ、点Ｄ・・・）を抽出する。
【００２９】
▲２▼は、抽出した点番号（点Ａ，点Ｂ、点Ｃ，点Ｄ・・・）をもとに、図形データ（座標値情報）を検索し、座標値データを抽出する。例えば下段の図形データ（座標値情報）から矢印で示す該当する点Ａ，点Ｂ、点Ｃ，点Ｄ・・・のＸ座標とＹ座標を抽出する。
【００３０】
▲３▼は、抽出した全ての座標値から、重心座標値を算出する。
例えば（Ｘ重、Ｙ重）
＝（Ｘａ＋Ｘｂ＋Ｘｃ＋Ｘｄ）／４，（Ｙａ＋Ｙｂ＋Ｙｃ＋Ｙｄ）／４）
▲４▼は、算出した重心座標値を中心にして、Ｘ重＋−５０ｍかつＹ重＋−５０ｍの範囲を含む全ての座標値データを、図形データ（座標値情報）から抽出する。また、取得した点番号データより、図形データ（結線情報）を検索し、取得した点番号を結線化する。例えば下段の左側の図形データ（座標値情報）から、重心から＋−５０ｍの範囲内に含まれる矢印で示す座標値（Ｘ，Ｙ）の点番号を抽出し、下段の右側の座標データ（結線情報）から該当する矢印の住居を取り出して結線化し、右下に示すように，表示する。
【００３１】
以上によって、Ｓ１で入力された住居表示に対応する住居が図３の右下に示すように抽出して表示されることとなる。
図４のＳ３は、法務省地図を管理するシステムがから該当する図形データと属性データを抽出する。これは、右側に示す▲５▼から▲８▼の手順によって行う。
【００３２】
▲５▼は、Ｘａ，Ｘｂ，Ｘｃ，Ｘｄの中で最大値をＸｍａｘ，最小値をＸｍｉｎとし、Ｙａ，Ｙｂ，Ｙｃ，Ｙｄの中で最大値をＹｍａｘ，最小値をＹｍｉｎとする。
▲６▼は、法務省地図を管理するシステムの図形データ（座標値情報）より、Ｘｍｉｎ＜＝Ｘ＜＝Ｘｍａｘ  かつ  Ｙｍｉｎ＜＝Ｙ＜＝Ｙｍａｘの点番号を抽出する。例えば下段に示すように、図形データ（座標値情報）から該当する座標値を持つ矢印の点番号を抽出する。
【００３３】
▲７▼は、抽出した点番号（Ｘ１１、Ｘ１２、Ｘ１３、Ｘ１４）をもとに、属性データ（地番表示情報）を検索し、該当する地番情報を抽出する。例えば下段の属性データ（地番表示情報）中の該当する矢印の地番情報を抽出する。
▲８▼は、抽出した地番をもとに、図形データ（座標値情報）と図形データ（結線情報）を検索し、地番７−３と地番７−４の図形情報を抽出する。例えば下段の図形データ（座標値情報）および図形データ（結線情報）中の該当する矢印で示す図形データと、地番情報（地番７−３）を抽出する。
【００３４】
Ｓ４は、抽出された２つの地図図形情報を座標値の位置関係をあわせて表示する。さらに、地番情報と住居表示情報を画面等に出力、および利用者は、画面などに表示された地図から、該当部分の地番情報を取得する。例えば右側の画面の上段に示すように、▲５▼で抽出された地番とその図形データを表示、および画面の下段に示すように、表示した地図から該当部分の地番情報（地番７−３，７−４）を取得して図示のように分かりやすく表示する。
【００３５】
以上によって、利用者が住居表示を入力するのみで、自動的に該当する住居表示と、該当する地番表示が図４の下段に示す画面のように表示されるので、利用者は画面の下段から住居に対応する地番を認識でき、かつ画面の上段に住居地図と地番地図とが重ねて表示されるので住居地図上のいずれの部分が当該地番の物件（建物、あるいは土地など）が位置するのかを簡単かつ明確に知ることが可能となる。
【００３６】
次に、図５および図６を用いて地番表示から住居表示に変換して表示する手順を詳細に説明する。
図５および図６は、本発明の説明図（地番→住居）を示す。
図５において、Ｓ１１は、入力する。これは、例えば右側に記載した地番表示
・地番７−３
を入力する。
【００３７】
Ｓ１２は、法務局地図を管理するシステムから、該当する図形データと属性データを抽出、および表示する。これは、右側に記載した▲１▼から▲２▼の手順によって行う。
▲１▼は、入力された地番をもとに、属性データ（地番表示情報）を検索し、該当地番を形成する点番号を抽出する。例えば下段に示す属性データ（地番表示情報）中から該当する矢印で示す点番号（点１１，点１２、点１３，点１４・・・）を抽出する。
【００３８】
▲２▼は、抽出された点番号をもとに、図形データ（座標値情報）および図形データ（結線情報）を検索し、該当点番号の座標値を抽出し、結線化する。例えば下段の矢印で示すように、▲１▼で抽出した点番号点番号（点１１，点１２、点１３，点１４・・・）に該当する矢印で示す図形データ（Ｘ座標，Ｙ座標）および図形データ（結線情報）を抽出し、これらをもとに最下段に示すように、地番に該当する図形と地番７−３をここでは表示する。
【００３９】
以上のＳ１１、Ｓ１２によって、地番を入力すると、当該地番に含まれる点の座標と、結線情報を抽出して図５の最下段に示すように、入力された地番が表示されることとなる。
図６のＳ１３は、抽出した図形データの座標値範囲に含まれる図形データを、住居表示地図ＤＢから抽出し、さらに住居表示地図ＤＢから抽出した図形データに対応する住居表示情報を住居表示属性ＤＢから抽出する。これは、例えば右側に記載した▲３▼から▲４▼の手順によって行う。
【００４０】
▲３▼は、抽出した全ての座標値から、重心座標値を算出する。
（Ｘ重、Ｙ重）＝（（Ｘ１１＋Ｘ１２＋Ｘ１３＋Ｘ１４）／４，（Ｙ１１＋Ｙ１２＋Ｙ１３＋Ｙ１４）／４）
▲４▼は、算出した重心座標値を中心にして、Ｘ重＋−５０ｍかつＹ重＋−５０ｍの範囲を含む全ての座標値データを、図形データ（座標値情報）から抽出する。また、取得した点番号データより、図形データ（結線情報）を検索し、取得した点番号を結線化する。例えば算出した重心座標値を中心に５０ｍ範囲内の座標値を持つ座標値データを、左下の図形データ（座標値情報）中から矢印で示す点番号として抽出、および当該抽出した点番号の結線情報を右下の図形データ（結線情報）中から矢印で示すように抽出し、これらもとに更に右下段に示す住居表示を出力する。
【００４１】
Ｓ１４は、抽出された２つの地図図形情報を座標値の位置関係をあわせて表示する。更に、地番情報と住居表示情報を画面などに出力する。利用者は、画面などに表示された地図から、該当部分の住居表示情報を取得する。例えば、右側に示すように、地番情報と住居情報とを合わせて表示する。
【００４２】
以上によって、利用者が地番表示を入力するのみで、自動的に該当する地番表示と、該当する住居表示が図６の下段に示す画面のように表示されるので、利用者は画面の下段から地番に対応する住居を認識でき、かつ画面の上段に住居地図と地番地図とが重ねて表示されるので住居地図上のいずれの部分が当該地番の物件（建物、あるいは土地など）が位置するのかを簡単かつ明確に知ることが可能となる。
【００４３】
図７は、本発明の効果説明図を示す。
図７の（ａ）は従来の地図表示を示し、図７の（ｂ）は本発明の地図表示を示す。
（ａ）の従来の地図表示は、住居表示（細字）に対して地番表示（斜め表示，実際の地図では青文字で記述されている）をおこなっており、従来技術の欄で説明したように、建物についてはその地番が表示されるが、建物のない土地が分割されているとその境界が表示されず、不明である。
【００４４】
（ｂ）の本発明の地図表示は、太線で示すように、地番が明確に区分されかつ区分内に地番が合わせて表示されるため、建物のない土地が分割されていても土地の地番で区分されかつ区分内に地番が明瞭に表示され、地番と住居との対応を明確かつ詳細かつ境界を明示することが可能となった。
【００４５】
【発明の効果】
以上説明したように、本発明によれば、住居表示および地番表示の地図の座標系および単位を変換して重ね合わせて表示などする構成を採用しているため、住居表示と地番表示を分かりやすくかつ修正・変更に迅速な対応すると共に、地番と住居との対応を明確かつ詳細かつ境界を明示できる。
【図面の簡単な説明】
【図１】本発明のシステム構成図である。
【図２】本発明の地図ＤＢ／属性ＤＢの登録説明図である。
【図３】本発明の説明図（住居→地番、その１）である。
【図４】本発明の説明図（住居→地番、その２）である。
【図５】本発明の説明図（地番→住居、その１）である。
【図６】本発明の説明図（地番→住居、その２）である。
【図７】本発明の効果説明図である。
【符号の説明】
１：処理装置
２：地番表示管理システム
３：住居表示管理システム
４：変換手段
５：出力手段
６：地番表示データベース
７：住居表示データベース
１１：表示装置
１２：入力装置
【図１】
0003624348.tif 000003
【図２】
0003624348.tif 000004
【図３】
0003624348.tif 000005
【図４】
0003624348.tif 000006
【図５】
0003624348.tif 000007
【図６】
0003624348.tif 000008
【図７】
0003624348.tif 000009